(57)【要約】【課題】  明るい画面を有し、また携帯性に優れた鞄型プレゼンテーション装置を提供すること。【解決手段】  鞄型プレゼンテーション装置は、上、下部で構成された本体ケースと、反射スクリーンと、小型プロジェクタとを備える。反射スクリーンは上部ケース内に配置され、その表面反射率が４−５０％であり、その形状は正球面または正曲面若しくはフレスネルからなり、その焦点位置に配置された小型プロジェクタから投影された光を反射直進させ、これによりホットスポットの発生を阻止し、従来に比べて４−５０の明るさを実現する。小型プロジェクタは発光ダイオードのような光源を有し、重さと嵩とが従来の１/４である。小型プロジェクタは、使用時は反射スクリーンの曲率に基づく焦点位置に配置され、携帯時には本体ケース内に収納される。【選択図】      図１
2009053644.tif 000002
【特許請求の範囲】
【請求項１】
鞄型プレゼンテーション装置であって、
上部ケース（２）及び下部ケース（３）を有する鞄形態の本体ケース（１）と、
前記上部ケースの内面に配置された正曲面形態の湾曲状又は球状の反射面を有するスクリーンであって該反射面が４−５０％の反射率を有しかつ光反射/屈折作用をなす反射スクリーン（４）と、
小型プロジェクタであって使用時に前記反射スクリーンの曲率（Ｒ）に基づいて前記反射スクリーンの焦点位置（Ｆ）に配置され、また携帯時に前記本体ケースに収納される小型プロジェクタ（７）とを備える
ことを特徴とする、鞄型プレゼンテーション装置。
【請求項２】
前記小型プロジェクタは、前記本体ケース内への配置に適する最小の嵩を有するように、発光ダイオード又はレーザダイオードのような光源（７ａ）を備える
ことを特徴とする、請求項１に記載の鞄型プレゼンテーション装置。
【請求項３】
前記反射スクリーンは、正曲率と４−１０％の表面反射率とを有する曲面反射スクリーン（４ａ）からなり、前記反射スクリーンの左右及び上下の一方に散乱線が形成され、また前記反射スクリーンは他の一方に湾曲されており、
前記曲面反射スクリーンはその曲率及びその表面反射率に基づいて定められた前記曲面反射スクリーンの焦点位置から投影される映像を真っ直ぐに反射させる
ことを特徴とする、請求項１に記載の鞄型プレゼンテーション装置。
【請求項４】
前記反射スクリーンは、正曲率と４−５０％の表面反射率とを有する球面反射スクリーン（４ｂ）からなり、
前記球面反射スクリーンは、その表面反射率及びその曲率に基づいて定められた前記球面反射スクリーンの焦点位置から投影される映像を真っ直ぐに反射させる
ことを特徴とする、請求項１に記載の鞄型プレゼンテーション装置。
【請求項５】
前記反射スクリーンは、正曲率を有するフレスネル反射スクリーン（４ｃ）からなり、前記フレスネル反射スクリーンは４−５０％の表面反射率を有する反射面（１２）とフレスネルフィルム（１１）とを備える
ことを特徴とする、請求項１に記載の鞄型プレゼンテーション装置。
【請求項６】
正曲率を有する前記反射スクリーンが前記本体ケースの上部ケースの外面に配置され、
鞄型プレゼンテーション装置は、さらに、前記反射スクリーンを覆う保護パネル（５）を備える
ことを特徴とする、請求項１に記載の鞄型プレゼンテーション装置。
【請求項７】
前記反射スクリーンが上下方向に枢動するように前記本体ケースの上部ケースの外面に配置されている
ことを特徴とする、請求項１に記載の鞄型プレゼンテーション装置。
【発明の詳細な説明】
【技術分野】
【０００１】
本発明は、映像会議装置、特に鞄型プレゼンテーション装置に関する。この装置にあっては、ダイオード等を光源とした小型プロジェクタから投影される光を反射するための曲面又は球面形態の反射面を有するスクリーンが鞄型ケース内部に配置され、また前記小型プロジェクタは前記スクリーンの焦点位置に配置されており、これによれば前記スクリーンの明るさと鮮明度とが良好なものとされる。
【背景技術】
【０００２】
従来鞄構造にスクリーンを取り付けた技術等があったが、これは一般的に平面スクリーンまたは透過スクリーンで構成され明るさが低く、明るい場所では使用が不可能で、一般的なプロジェクタ等はその大きさが鞄以上の大きさであり、嵩が大きく重くて別途に携帯して移動しなければならない等の不便が多かった。
【発明の開示】
【発明が解決しようとする課題】
【０００３】
保険営業、車両営業等の営業活動や、教授、軍事訓練等の現場で随時に映像を提示し資料を提示しなければならない会議、教育または営業活動には映像会議装置が必要になる。
【０００４】
従来このような装置等においては、通常、１５−１７インチのラップトップ型コンピュータを使用しているが、画面が小さくまた明るさが暗くて実用性がなかった。
【０００５】
また、プロジェクタによるスクリーン映像装置はプロジェクタの嵩が大きく重量があり、スクリーンは別途のスタンドを必要とする。この場合、プロジェクタ３Ｋｇ+プロジェクタ保護鞄１Ｋｇ+スクリーン５−１０Ｋｇ+スクリーンスタンド５Ｋｇ+ラップトップ型コンピュータ２Ｋｇの重さの和が２０Ｋｇを超え、付帯品も多くて携帯移動時に大変不便であった。
【０００６】
また、プラズマ・ディスプレイ・パネル（ＰＤＰ）及び液晶ディスプレイ（ＬＣＤ）の重さは、その大きさが２６インチの場合では１４Ｋｇであり、３０−４０インチの場合では３０Ｋｇを超えるために事実上携帯移動が不可能であり、また平均明るさが３００ｃｄｓ/ｍ２の水準であるために画面自体が暗く、明るい場所での映像が鮮明でなく、映像効果を充分に得ることができなかった。
【課題を解決するための手段】
【０００７】
本発明の目的は、前記のような点を勘案して、鞄型プレゼンテーション装置を提供することにあり、この装置は、移動及び携帯を簡便にするために鞄型構造で構成され、明るい室内店舗、事務所、日差しが入る室内など、明るい場所でも使用が可能であるように、従来のＬＣＤ等の画面より２倍以上明るく、画面の大きさは２倍以上である２１−４０インチの大画面でありまた重さは１/２以下に画期的に減少される。
【０００８】
本発明の他の目的は、単一の鞄構造内にプロジェクタ、スクリーン、スクリーンスタンド、コンピュータ等を含んだ鞄型プレゼンテーション装置を提供し、これにより軽量性及び携帯性を実現することにある。
【０００９】
よって、このような構造に適合したプロジェクタはその大きさが本発明の目的上鞄の大きさの１/２以下、好適には１/４以下でなければならない。
【００１０】
このような用途のプロジェクタには、通常、その大きさが鞄に入れることができるミニプロジェクタ又はポケットに入れることができるポケットプロジェクタ等の小型プロジェクタがある。
【００１１】
しかし、前記ミニプロジェクタは光源を冷却することができる冷却システムの設置限界のために高発熱の明るいランプを使用することができず、よって、プロジェクタの明るさが一般のプロジェクタの明るさと対比して１/４−１/１０以下と非常に暗く、また前記ポケットプロジェクタは主に熱のないＬＥＤやレーザダイオードを使用してランプ自体で熱が発生しないが、明るさが一般のプロジェクタと対比して１/１０−１/５０以下と非常に低い。
【００１２】
従って、本発明のさらに他の目的は、鞄に配置されたスクリーンが、前記したようなミニプロジェクタやポケットプロジェクタ等の小型プロジェクタを使用しても４−５０倍の明るさを実現し、明るい場所で鮮明で明るい映像を示す鞄型プレゼンテーション装置を提供することにある。
【００１３】
本発明は前記目的を達成するために、曲率を有する反射スクリーンの焦点位置に前記小型プロジェクタを配置して使用し、これにより従来の一般スクリーンの明るさと対比して４−５０倍の明るさを実現し、また一つの鞄内にプレゼンテーションシステムの全てを搭載して移動携帯の簡便性を実現する。
【発明の効果】
【００１４】
図６に示すように、曲面反射スクリーン４ａであって左右散乱ラインの光拡散効果と、正曲率を有する上下方向に湾曲した反射面とにより、ホットスポットを消滅させることができる曲面反射スクリーン４ａを設けることにより、４−１０ゲインのスクリーンの明るさを得ることができる。その結果、２００アンシ(ANSI)の低光度小型プロジェクタ７を使用するとき、８００−１８８アンシの高光度を有する明るいスクリーンを実現することができる。
【００１５】
また、図７に示す正球面反射スクリーン４ｂの場合、前記正球面スクリーンの表面反射率は従来のスクリーンの反射率（すなわち1ゲイン）と対比して１０−５０ゲインまで増大させることが可能である。このため、２００アンシ（ANSI）（６３ｃｄｓ/ｍ２）の低い光度を有する小型プロジェクタを使用する場合でも、２，０００−１０，０００アンシの高光度をホットスポット現象なしに実現することができる。特に、このような明るさは６３０−３１８４ｃｄｓ/ｍ２の明るさと同じであるため、前記スクリーンは、従来のラップトップ型コンピュータの光度又は輝度（すなわち３００ｃｄｓ/ｍ２）と対比して２倍乃至１０倍の明るさを実現することができる。したがって、明るいスクリーンを使用する前記鞄型プレゼンテーション装置は、明るい事務所、展示場内はもちろん、軍事作戦時の野外のような明るい場所でも鮮明な映像提供が可能である。
【００１６】
図９に示すようなフレスネル反射スクリーン４ｃでは、従来のスクリーンの４−５０倍の反射率つまり４−５０ゲインの明るさを実現することができる。
特に、反射スクリーン４の表面反射率と反射スクリーンの曲率Ｒとを調整することにより、反射スクリーン４の焦点位置Ｆで小型プロジェクタ７から投影される低光度の光が焦点位置Ｆで屈折することにより画期的に増大するのである。本発明は、２４−４０インチの大型画面を実現する。これは、従来の１７インチ画面の面積対比で２倍から５．５倍のサイズである。前記したように構成してその重さを測定した結果、鞄に２６インチスクリーンと小型プロジェクタ７とを含んだ総重量が４．５Ｋｇにすぎず、この重量は２６インチＬＣＤ１台だけの重さ１４Ｋｇと対比して１/３であった。
【００１７】
また、小型プロジェクタは、発光ダイオード（ＬＥＤ）及びレーザダイオードのようなダイオードを光源７ａとして利用するため、小型プロジェクタ７は、従来のプロジェクタと対比して嵩を１/１０以下に減少させる効果をもたらす。このため、小型プロジェクタは、一つの鞄構造への搭載に適し、また携帯、移動、保管が簡便な鞄型プレゼンテーション装置の形成を可能とする。よって、このような本発明は鞄形態で移動携帯することができることが特徴であり、例えば営業社員の移動プレゼンテーション機具として、学校及び会社内で移動教育用装置として、展示場及びショールーム等での移動映像装置として、軍での野戦教育及びブリーフィング機具としてその実用性が非常に高い。
【発明を実施するための最良の形態】
【００１８】
図１及び図３に示すように、本発明に係る鞄型プレゼンテーション装置は、上部ケース２と下部ケース３とからなる鞄形態の本体ケース１と、上部ケース２の内面に設けられた反射スクリーン４と、下部ケース３内に設けられた複数の保管箱６のうちの１つに入れられた小型プロジェクタ７とを含む。
【００１９】
保管箱６は、小型プロジェクタ７の他にラップトップ型コンピュータのような小型コンピュータ、ＤＶＤプレーヤのような映像装置、小型アンプ、スピーカー等を入れるために使用される。
【００２０】
上部ケース２と下部ケース３との間には、上部ケース２に設置された反射スクリーン４の上下反射角度を調整することができる角度調節器８と、反射スクリーン４の表面を下部ケース３内に配置された小型プロジェクタ７から保護するための保護パネル５とが設けられている。
【００２１】
小型プロジェクタ７は、図３に示すように、発光ダイオード（ＬＥＤ）又はレーザダイオードのような光源７ａを備える。
【００２２】
このような小型プロジェクタ７は、図３に示すように、さらにディジタル・ライト・プロセシング（ＤＬＰ）（商標）チップ等で構成された映像チップ７ｂと投影レンズ７ｃと、駆動回路（図示せず）とを備える。小型プロジェクタで使用される光源７ａの大きさは、従来のプロジェクタにおいて使用されるメタルハライドや水銀ランプ等の１/１０以下である。小型プロジェクタ７は、ポケットに入るほどの大きさを有する。光源７ａは、それ自体が熱を発生しないことから、冷却ファン等を必要としない。このため、重さを従来のプロジェクタの１/５まで減らすことができる。
【００２３】
よって、このような小型プロジェクタ７は書類鞄形態の下部ケース３に装着することができるため、鞄型プレゼンテーション装置の形成が可能である。
【００２４】
しかし、このような小型プロジェクタ７は相対的に明るさが一般のプロジェクタの１/１０から１/５以下の水準であるため、明るい画面を示現するためにはより明るい特別なスクリーンの構成が必要とされ、このようなスクリーンの明るさを上げるためには図４に示すようにスクリーン９の表面の反射率を上げなければならない。
【００２５】
しかし、図４に示すように、平面である一般のスクリーン９の反射面に小型プロジェクタ７の光を投影すると、入射角∠Ｂ及び反射角∠Ａの逆角（inverted angle）の範囲、即ちスクリーン全体の面積のうちの一部のみが明るく、周囲の映像を見えなくするホットスポットｆ１，ｆ２，ｆ３が発生する。
【００２６】
スクリーンの反射率が高いほど前記スポットはｆ３部分のように小さく、しかし光度は高くなる。反対にスクリーン表面の反射率が低いほど、前記スポットはｆ２部分やｆ１部分のように大きくなるが、明るさは著しく低下するようになる。
【００２７】
これを防止するために、図５に示すように、本発明の反射スクリーン４が曲面又は球面にされ、小型プロジェクタ７が反射スクリーン４の焦点位置であるＦ点に配置される。ここでは、反射スクリーン４が有する曲面又は球面の曲率Ｒと、反射スクリーン４の焦点位置Ｆとの関係がＦ＝Ｒ/２となるようにする。
【００２８】
この場合は反射スクリーン４の表面反射率がいくら高くても、反射スクリーン４は、焦点位置Ｆに配置された小型プロジェクタ７からの光を直進方向Ａに反射させる。このことから、反射角∠Ａの逆角の範囲である範囲Ｇは均一な明るさを有し、ホットスポットを有しない明るい画面の形成が可能である。
【００２９】
本発明においては、反射スクリーン４の曲面又は球面の形態はレンズのような均一な曲率Ｒを有する正球面及び正曲面の形態でなければならない。
【００３０】
その理由は、前記スクリーンが一般のスクリーンと対比して高い面反射率を有するため、その曲率Ｒが均一でなければ画面が不均一でむら現象が発生し、スクリーンとしての機能を喪失するからである。
【００３１】
このような反射スクリーン４の実施例を詳細に説明する。
【００３２】
［実施例１］
本実施例は反射スクリーン４を曲面の反射スクリーン４ａで構成する。図６に示すように、従来の平面スクリーン９ではスクリーン表面に反射面があるためにホットスポットＸが発生する。
【００３３】
図６ｂに示すように、スクリーン表面に左右に散乱する左右散乱線１０を形成すれば、ホットスポットＸは左右にのみ拡大する。
【００３４】
本実施例においては、図６ｃに示すように、曲率Ｒを有する上下曲面を備える左右散乱線１０を含むスクリーンを提供する。均一な曲率Ｒを有する曲面反射スクリーンの焦点位置Ｆに小型プロジェクタ７を配置構成すれば、散乱線１０により左右に拡大されたホットスポットＸが上下に再び拡大されて画面全体が均一になる。
【００３５】
この場合、曲面反射スクリーン４ａ上に導かれた光は左右に散乱し、上下に拡大することから、曲面反射スクリーン４ａは一般のスクリーンと対比して４−１０ゲイン（gain）、即ち一般のスクリーンの４−１０倍の明るさを示す。
【００３６】
このような曲面反射スクリーン４ａの明るさは、散乱線１０が左右及び上下の一方にのみ形成され光を拡散するため、８ゲイン未満となる。
【００３７】
前記の実施例とは反対に、散乱線１０を上下方向に形成し、正曲面の形態を左右方向に構成しても同じ結果を得ることができる。
【００３８】
即ち、前記スクリーンの上下及び左右のうちの一方に散乱線１０を形成し、残りの一方に正曲面を形成する。
【００３９】
また、散乱線１０は種々の方法、例えば前記スクリーンの表面に複数のエンボッシングパターンを形成し、又は拡散素材を塗布することにより構成することができる。
【００４０】
この実施例による正曲面反射スクリーン４ａを鞄形態の本体ケース１の上部ケース２に取り付けると、鞄型プレゼンテーション装置が得られる。
【００４１】
［実施例２］
図７ａ及び図７ｂを参照すると、正球面形態の球面反射スクリーン４ｂが示されている。この例では、球面反射スクリーン４ｂは４−５０％の表面反射率を有し、スクリーン４ｂの曲率Ｒは小型プロジェクタ７の投影距離の２倍とする。この形態においては、図８に示すように、反射スクリーン４の曲率Ｒの半分のＲ/２の位置に小型プロジェクタ７を配置することにより、小型プロジェクタ７から球面反射スクリーン４ｂに投影された光は真っ直ぐに反射し、ホットスポットＸのない明るい画面視聴を実現する。
【００４２】
この例のスクリーンは４−５０ゲインの明るさ、すなわち従来のスクリーンの反射率１％である１ゲインの４−５０倍の明るさを達成する。
【００４３】
この実施例は、正球面形態の球面反射スクリーン４ｂを鞄形態の本体ケース１の上部ケース２に結合構成したことを特徴とする鞄型プレゼンテーション装置を提供する。
【００４４】
［実施例３］
本実施例は、反射スクリーン４をフレスネル（fresnel）反射スクリーン４ｃで構成した例である。公知のように、フレスネルフィルム１１（図９）は平面に近い薄膜であり、屈折レンズのように、その焦点位置から放射された光を反射するように機能する。
【００４５】
図９に示すように、上部ケース２と下部ケース３との間の本体ケース１中央領域に保護パネル５が設けられ、前記保護パネルの前面にフレスネル反射スクリーン４ｃが配置されている。下部ケース３の後段に小型プロジェクタ７と反射鏡１４とを配置し、あるいは反射鏡１４なしに小型プロジェクタ７のみをフレスネル反射スクリーン４ｃの焦点位置Ｆに配置することができる。
【００４６】
この例では、フレスネル反射スクリーン４ｃを上部ケース３の内面に配置し、上部ケース３を立てて使用することができる。
【００４７】
このフレスネル反射スクリーン４ｃは、図９に示すように、フレスネルフィルム１１の裏面に反射面１２を有し、反射面１２は４−５０％の反射率を有する。
【００４８】
フレスネル反射スクリーン４ｃの反射面１２にあっては、焦点位置Ｆから投影された映像を反射直進させる効果が大きいため、４−５０％の高反射率が得られる。
【００４９】
よって、焦点位置Ｆから投影されると、小型プロジェクタ７からの映像はフレスネル１１の屈折作用と反射面１２の反射作用とにより従来のスクリーンと比べて４−５０倍の明るさで反射直進する。即ち、このようなフレスネル１１と反射面１２とは正球面形態の反射屈折作用のような作用をなし、フレスネルフィルム１１の表面は正曲率Ｒの球面を有する。
【００５０】
この実施例は、前記正球面形態の反射屈折作用をするフレスネル反射スクリーン４ｃを鞄形態の本体ケース１の上部ケース２に結合したことを特徴とした鞄型プレゼンテーション装置を提供する。
【００５１】
［実施例４］
フレスネル反射スクリーン４ｃを、保護パネル５の後面に配置しても実施例３と同じ作用効果が得られる。
【００５２】
また、本発明において、反射スクリーン４の焦点位置Ｆに小型プロジェクタ７が位置することが重要であるため、プロジェクタの投影距離とスクリーンの焦点位置Ｆとを自動的に同一に合わせる方法が必要である。
【００５３】
プロジェクタの投影距離は投射レンズの諸元により規定されている。例えば、投影距離が１ｍでスクリーンが４０インチの大きさを有するプロジェクタにおいては、スクリーンの曲率Ｒを２０００Ｒで構成すると、スクリーンの焦点位置Ｆはスクリーンから１ｍを隔てられ、よって、１ｍの投影距離で４０インチのスクリーンを投影すると、投影距離と焦点位置Ｆとが自動的に一致する。
【００５４】
従って、スクリーン又は画面の大きさに基づいてプロジェクタの投影距離を合わせると、投影距離は自動的にスクリーンの曲率Ｒの１/２になるため、プロジェクタの位置は曲率Ｒを有するスクリーンの焦点位置Ｆに自動的に設定される。
【００５５】
前記した論理は、フレスネルフィルム１１の焦点位置と投影距離とに同様に適用することができる。
【００５６】
［実施例５］
図１０ａ及び図１０ｂに示すように、反射スクリーン４が鞄形態の本体ケース１の上部ケース２の外部に配置され、保護カバーとしての保護パネル５が回転して反射スクリーン４を開閉することができるように反射スクリーン４に接続されている。
【００５７】
反射スクリーン４は、図１０ｂに示すように、正曲率Ｒと４−５０％の反射率とを有する球面形態を備えるように、前記した曲面反射スクリーン４ａ、球面反射スクリーン４ｂ、フレスネル反射スクリーン４ｃ及び他のスクリーンから選択することができる。
【００５８】
この実施例では、図１０ａ及び図１０ｂに示すように、使用時には鞄形態の本体ケース１を立てかつ保護パネル５を開く。また、反射スクリーン４の焦点位置であるＲ/２の位置に小型プロジェクタ７を配置する。携帯移動時には反射スクリーン４が保護パネル５により覆われる。反射スクリーン４の作用効果は、前記した反射スクリーン４ａ，４ｂ，４ｃにおけると同じである。
【００５９】
［実施例６］
図１１ａに示すように、曲面反射スクリーン４ａ、球面反射スクリーン４ｂ、フレスネル反射スクリーン４ｃ及び他のスクリーンから選ばれた反射スクリーン４を枢動可能のブラケット１３を用いて鞄形態の本体ケース１の上部ケース２の外面に配置する。
【００６０】
反射スクリーン４は正曲率Ｒ及び４−５０％の反射率を有する球面形態を備える。この実施例では使用時には図１１ｂに示すように反射スクリーン４を枢動させて開く。携帯移動時には図１１ａに示すように反射スクリーン４を閉じる。これにより、反射スクリーン４を携帯可能の鞄型プレゼンテーション装置として構成することができる。
【図面の簡単な説明】
【００６１】
【図１】本発明に係る鞄型プレゼンテーション装置の外形を示す斜視図である。
【図２】携帯時における鞄型プレゼンテーション装置の部分断面側面図である。
【図３】小型プロジェクタの構成説明図である。
【図４】従来の平面スクリーンに生じたホットスポットに関する説明図である。
【図５】球面反射スクリーンと反射スクリーンの焦点位置に配置されたプロジェクタとを用いて行うホットスポットの消去に関する説明図である。
【図６】ａないしｃは、正曲率を有する曲面反射スクリーンの作用説明図である。
【図７】ａ及びｂは、正曲率を有する球面反射スクリーンの作用説明図である。
【図８】使用時における本発明に係る装置の説明図である。
【図９】本発明の一実施例に係る鞄型プレゼンテーション装置の説明図である。
【図１０】ａは、本発明の他の実施例に係る鞄型プレゼンテーション装置の説明図であり、また、ｂは、図１０ａに示す装置の使用説明図である。
【図１１】ａは、本発明のさらに他の実施例に係る鞄型プレゼンテーション装置の説明図であり、また、ｂは、ａに示す装置の使用説明図である。
【符号の説明】
【００６２】
１    鞄形態の本体ケース
２    上部ケース
３    下部ケース
４    反射スクリーン
４ａ  曲面反射スクリーン
４ｂ  球面反射スクリーン
４ｃ  フレスネル反射スクリーン
７    小型プロジェクタ
９    平面スクリーン
１１  フレスネル（フレスネルフィルム）
１２  反射面
１４  反射鏡
【図１】
2009053644.tif 000003
【図２】
2009053644.tif 000004
【図３】
2009053644.tif 000005
【図４】
2009053644.tif 000006
【図５】
2009053644.tif 000007
【図６】
2009053644.tif 000008
【図７】
2009053644.tif 000009
【図８】
2009053644.tif 000010
【図９】
2009053644.tif 000011
【図１０】
2009053644.tif 000012
【図１１】
2009053644.tif 000013